(57)【要約】  発光装置（１０）は、第１電極（１１０）、有機層（１２０）、及び複数の第２電極（１３０）を備えている。第１電極（１１０）は光透過性を有している。有機層（１２０）は発光層を有しており、第１電極（１１０）と第２電極（１３０）の間に位置している。複数の第２電極（１３０）は互いに離れた状態で並んでいる。そして、第２電極（１３０）は、第１領域（１３４）及び第２領域（１３６）を有している。第２領域（１３６）は、第１領域（１３４）よりも幅が狭い領域である。
2017131143.tif 000002
【特許請求の範囲】
【請求項１】
光透過性を有する第１電極と、
光反射性を有する複数の第２電極と、
前記第１電極と前記第２電極の間に位置する発光層と、
を備え、
前記複数の第２電極は互いに離れた状態で並んでおり、
前記第２電極は、互いに電気的に連続する複数の第１領域と、前記第１領域よりも幅が狭い複数の第２領域とを有する発光装置。
【請求項２】
請求項１に記載の発光装置において、
前記第２領域の幅は前記第１領域の幅の０．５倍以下である発光装置。
【請求項３】
請求項１又は２に記載の発光装置において、
前記第２領域の面積は前記第１領域の面積の０．５倍以下である発光装置。
【請求項４】
請求項１〜３のいずれか一項に記載の発光装置において、
前記第２電極が延在する方向において、第１の前記第２電極の前記第１領域の少なくとも８０％以上は、前記第１の第２電極の隣に位置する第２の前記第２電極の前記第１領域に重なっている発光装置。
【請求項５】
請求項１〜３のいずれか一項に記載の発光装置において、
前記第２電極が延在する方向において、第１の前記第２電極の前記第１領域の中心は、前記第１の第２電極の隣に位置する第２の前記第２電極のいずれの前記第１領域の中心にも重なっていない発光装置。
【請求項６】
請求項１〜５のいずれか一項に記載の発光装置において、
前記複数の第２電極のそれぞれは、前記第１領域及び前記第２領域を繰り返し有する発光装置。
【請求項７】
請求項１〜６のいずれか一項に記載の発光装置において、
前記複数の第２電極が延在する方向において、第１の前記第２電極の前記第２領域の中心は、前記第１の第２電極の前記第1領域の中心に重なっていない発光装置。
【請求項８】
請求項１〜６のいずれか一項に記載の発光装置において、
第１の前記第２電極と、第２の前記第２電極と、第３の前記第２電極を有し、
前記第１の第２電極、前記第２の第２電極、及び前記第３の第２電極はこの順に並んでおり、
前記複数の第２電極が並んでいる方向において、
前記第１の第２電極の前記第２領域と、前記第２の第２電極の前記第２領域と、前記第３の第２電極の前記第２領域と、は、少なくとも一部で互いに重なっており、
当該重なっている部分において、前記第１の第２電極の前記第２領域から前記第２の第２電極の前記第２領域までの距離は、前記第２の第２電極の前記第２領域から前記第３の第２電極の前記第２領域までの間の距離と異なる発光装置。
【発明の詳細な説明】
【技術分野】
【０００１】
本発明は、発光装置に関する。
【背景技術】
【０００２】
近年は有機ＥＬを利用した発光装置の開発が進んでいる。この発光装置は、照明装置や表示装置として使用されており、第１電極と第２電極の間に有機層を挟んだ構成を有している。そして、一般的には第１電極には透明材料が用いられており、第２電極には金属材料が用いられている。【０００３】
有機ＥＬを利用した発光装置の一つに、特許文献１に記載の技術がある。特許文献１の技術は、有機ＥＬを利用した表示装置に光透過性（シースルー）を持たせるために、第２電極をストライプ状に設けている。このような構造において、複数の第２電極の間に位置する領域は光を透過させるため、表示装置は光透過性を有することができる。
【先行技術文献】
【特許文献】
【０００４】
【特許文献１】特開２０１４−１７９３４２号公報
【発明の概要】
【発明が解決しようとする課題】
【０００５】
本発明者は、透光性を有する発光装置において、透光性を向上させることを検討した。【０００６】
本発明が解決しようとする課題としては、発光装置の透光性を向上させることが一例として挙げられる。
【課題を解決するための手段】
【０００７】
請求項１に記載の発明は、光透過性を有する第１電極と、
光反射性を有する複数の第２電極と、
前記第１電極と前記第２電極の間に位置する発光層と、
を備え、
前記複数の第２電極は互いに離れた状態で並んでおり、
前記第２電極は、互いに電気的に連続する複数の第１領域と、前記第１領域よりも幅が狭い複数の第２領域とを有する発光装置である。
【図面の簡単な説明】
【０００８】
上述した目的、およびその他の目的、特徴および利点は、以下に述べる好適な実施の形態、およびそれに付随する以下の図面によってさらに明らかになる。【０００９】
【図１】実施形態に係る発光装置の平面図である。
【図２】図１から第２電極を取り除いた図である。
【図３】図２から絶縁層及び有機層を取り除いた図である。
【図４】図１のＡ−Ａ断面図である。
【図５】図１のＢ−Ｂ断面図である。
【図６】変形例１に係る発光装置の第１電極を示す平面図である。
【図７】変形例２に係る発光装置が有する第２電極の形状を示す平面図である。
【図８】変形例３に係る発光装置の構成を示す平面図である。
【図９】変形例４に係る発光装置の構成を示す平面図である。
【図１０】変形例５に係る発光装置の構成を示す平面図である。
【図１１】変形例６に係る発光装置の構成を示す平面図である。
【図１２】図１１の変形例を示す平面図である。
【図１３】実施例に係る発光システムの構成を示す断面図である。
【図１４】変形例７に係る発光装置１０の構成を示す平面図である。
【図１５】図１４の変形例を示す平面図である。
【図１６】変形例８に係る発光装置１０の構成を示す平面図である。
【図１７】変形例９に係る発光装置１０の構成を示す平面図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
（実施形態）
図１は、実施形態に係る発光装置１０の平面図である。図２は、図１から第２電極１３０を取り除いた図である。図３は図２から絶縁層１５０及び有機層１２０を取り除いた図である。図４は、図１のＡ−Ａ断面図である。図５は、図１のＢ−Ｂ断面図である。
【００１２】
実施形態に係る発光装置１０は、第１電極１１０、有機層１２０、及び複数の第２電極１３０を備えている。第１電極１１０は光透過性を有している。有機層１２０は発光層を有しており、第１電極１１０と第２電極１３０の間に位置している。複数の第２電極１３０は互いに離れた状態で並んでいる。そして、第２電極１３０は、複数の第１領域１３４及び複数の第２領域１３６を有している。複数の第１領域１３４は電気的に繋がっている。第２領域１３６は、第１領域１３４よりも幅が狭い領域である。以下、発光装置１０について詳細に説明する。
【００１３】
本実施形態において、発光装置１０は照明装置である。発光装置１０が有する発光部１４０は、ボトムエミッション型の発光部であってもよいし、トップエミッション型の発光部であってもよい。なお、図１〜図５に示す例において、発光装置１０はボトムエミッション型の発光装置である。なお、発光装置１０がトップエミッション型の発光装置である場合、第１電極１１０と第２電極１３０の位置を逆にすればよい。
【００１４】
基板１００は、例えばガラスや透光性の樹脂などの透光性の材料で形成されており、基板１００のうち第１電極１１０とは逆側の面が発光装置１０の光取出面になっている。基板１００は、例えば矩形などの多角形である。また、基板１００は可撓性を有していてもよい。基板１００が可撓性を有している場合、基板１００の厚さは、例えば１０μｍ以上１０００μｍ以下である。特に基板１００をガラス材料で可撓性を持たせる場合、基板１００の厚さは、例えば２００μｍ以下である。基板１００を樹脂材料で可撓性を持たせる場合は、基板１００の材料として、例えばＰＥＮ（ポリエチレンナフタレート）、ＰＥＳ（ポリエーテルサルホン）、ＰＥＴ（ポリエチレンテレフタラート）、又はポリイミドを含ませて形成されている。また、基板１００が樹脂材料を含む場合、水分が基板１００を透過することを抑制するために、基板１００の少なくとも発光面（好ましくは両面）に、ＳｉＮｘやＳｉＯＮなどの無機バリア膜が形成されている。
【００１５】
発光部１４０は基板１００のうち光射出面とは逆側の面に形成されており、第１電極１１０、有機層１２０、及び第２電極１３０を有している。
【００１６】
第１電極１１０は、光透過性を有する透明電極である。第１電極１１０を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。透明電極の材料の屈折率は、例えば１．５以上２．２以下である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよいし、薄い金属電極であってもよい。
【００１７】
第２電極１３０は、光反射性を有する電極であり、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。第２電極１３０は多層構造を有していてもよい。第２電極１３０は、例えばスパッタリング法又は蒸着法を用いて形成される。
【００１８】
有機層１２０は、第１電極１１０と第２電極１３０の間に位置しており、正孔注入層、正孔輸送層、発光層、電子輸送層、及び電子注入層を有している。ただし、正孔注入層及び正孔輸送層の一方は形成されていなくてもよい。また、電子輸送層及び電子注入層の一方は形成されていなくてもよい。有機層１２０は、さらに他の層を有していてもよい。
【００１９】
図１及び図５に示すように、発光装置１０は複数の第２電極１３０を有している。複数の第２電極１３０は、第１の方向（図１におけるＹ方向）に互いに離れた状態で並んでいる。ここで隣り合う第２電極１３０は、電気的または物理的に接続されていてもよい。後述する透光領域１０２を介して第２電極１３０が形成されるということである。複数の第２電極１３０は、いずれも第１の方向に交わる第２の方向（例えば第１の方向に直交する方向：図１におけるＸ方向）に延在している。基板１００が矩形である場合、第１の方向は、例えば基板１００のいずれかの辺（例えば長方形の長辺）に沿っている。第１の方向において、隣り合う第２電極１３０の中心間距離は、いずれも同じであってもよいし、少なくとも一つが他と異なっていてもよい。また、第２電極１３０の中心間距離はランダムであってもよい。
【００２０】
第２電極１３０の各々は、第１領域１３４及び第２領域１３６を有している。第１領域１３４は発光部１４０のうち実質的に発光部として機能する領域に位置する部分である。第２領域１３６は第１領域１３４よりも幅が狭い領域であり、実質的に同一の第２電極１３０に形成される第１領域１３４と第１領域１３４と電気的に接続する配線として機能する部分である。第２電極１３０は、いずれも第１領域１３４及び第２領域１３６を繰り返し有している。
【００２１】
第１の方向（複数の第２電極１３０が並んでいる方向：図１におけるＹ方向）において、第２領域１３６の幅は、例えば隣り合う第１領域１３４の幅の０．５倍以下、好ましくは０．２５倍以下である。第１領域１３４の幅は、例えば１００μｍ以上１０００μｍ以下であり、第２領域１３６の幅は、例えば１０μｍ以上５００μｍ以下である。また、第２の方向（第２電極１３０が延在している方向：図１におけるＸ方向）において、第２領域１３６の長さは、隣り合う第１領域１３４の長さと同じであってもよいし、長くてもよいし、短くてもよい。第２領域１３６の長さは、例えば第１領域１３４の長さの０．１倍以上２倍以下である。第１領域１３４の長さは、例えば１００μｍ以上１０００μｍ以下であり、第２領域１３６の長さは、例えば０．１μｍ以上２０００μｍ以下である。
【００２２】
また、一つの第２領域１３６の面積は、一つの第１領域１３４の面積よりも小さい。例えば一つの第２領域１３６の面積は、一つの第１領域１３４の面積の、例えば１／２以下、好ましくは１／４以下である。第１の方向（図１におけるＹ方向）において、両端に位置している第２電極１３０で挟まれた領域（これら２つの第２電極１３０を含む）を発光部１４０と定義した場合、複数の第２電極１３０の合計面積は、発光部１４０の面積の例えば０．６倍以下であるが、これに限定されない。
【００２３】
図１に示す例において、複数の第１領域１３４は互いに同一の形状、例えば矩形であり、また、複数の第２領域１３６も互いに同一の形状、例えば矩形である。ただし、少なくとも一つの第１領域１３４は、他の第１領域１３４と異なる形状（相似形の場合もある）を有していてもよい。また、少なくとも一つの第２領域１３６は、他の第２領域１３６と異なる形状（相似形の場合もある）又は長さを有していてもよい。第２領域１３６の長さを変えると、第１領域１３４の間隔は等間隔ではなくなる。
【００２４】
第２電極１３０が延在する方向（図１におけるＸ方向）において、ある第２電極１３０（第１の第２電極１３０）の第１領域１３４の中心は、その隣の第２電極１３０（第２の第２電極１３０）のいずれの第１領域１３４の中心とも重なっていない。ただし、第１領域１３４の両端の少なくとも一方は、その隣の第２電極１３０が有する第１領域１３４と重なっていてもよい。このようにすると、発光部１４０において、複数の第１領域１３４は千鳥格子の格子点に配置されることになる。第２電極１３０は遮光性を有しているため、後方散乱によって発光面（例えば発光部１４０が形成されている面とは逆側の面）の裏面から漏れる光の量や射出方向は、第２電極１３０の位置に依存する。このため、本実施形態においては、後方散乱に起因した光が特定の方向で局所的に強まることを抑制することができる。また、発光面から見たとき、第２電極１３０が第２領域１３６を有しているため、第２電極１３０が線状に見えることを抑制できる。このため、第２電極１３０は目立たなくなる。
【００２５】
複数の第２電極１３０の一方の端部は、いずれも第２端子１３２に接続している。本図に示す例において、発光装置１０は一つの第２端子１３２を有しており、複数の第２電極１３０はいずれもこの一つの第２端子１３２に接続している。
【００２６】
そして、発光部１４０のうち複数の第２電極１３０の間に位置する領域は透光領域１０２となっている。透光領域１０２は、発光装置１０のうち光を透過する領域である。透光領域１０２は、第２電極１３０と同一の方向に延在しており、第１の方向（図１におけるＹ方向）に繰り返し配置されている。透光領域１０２の幅は、例えば５０μｍ以上１０００μｍ以下である。なお、図１に示す例において、透光領域１０２の幅ｗは、ある第２領域１３６とその隣の第２電極１３０の第２領域１３６の間の距離として定義することができる。
【００２７】
なお、透光領域１０２の幅が大きくなる（言い換えると第２電極１３０の配置間隔が大きくなる）と、発光装置１０の透光性は向上する。一方、透光領域１０２の幅が小さくなる（言い換えると第２電極１３０の配置間隔が小さくなる）と、発光装置１０からの発光量は大きくなる。
【００２８】
また、発光装置１０は、複数の第１電極１１０を有している。複数の第１電極１１０は、図３に示すように、いずれも互いに並んでおり、かつ、第２電極１３０と同一の方向（図１におけるＸ方向）に延在している。第１電極１１０の数は１３０の数と同一である。
【００２９】
複数の第１電極１１０の一方の端部は、いずれも第１端子１１２に接続している。本図に示す例において、発光装置１０は一つの第１端子１１２を有しており、複数の第１電極１１０はいずれもこの一つの第１端子１１２に接続している。
【００３０】
第１端子１１２及び第２端子１３２は、第１電極１１０を挟んで互いに逆側に位置している。本図に示す例では基板１００は矩形である。そして、第１端子１１２は基板１００の一辺に沿って形成されており、第２端子１３２は、基板１００の４辺のうち第１端子１１２とは逆側の辺に沿って形成されている。ただし、第１端子１１２及び第２端子１３２のレイアウトは、本図に示す例に限定されない。
【００３１】
第１端子１１２及び第２端子１３２は、第１電極１１０と同じ材料を用いて形成された層を有している。この層は、第１電極１１０と同一の工程で形成される。また、第１端子１１２のうち第１電極１１０と同様の材料で形成されている層は、第１電極１１０と一体になっている。一方、第２端子１３２は第１電極１１０から分離している。
【００３２】
第１電極１１０のうち有機層１２０が形成されるべき領域は、絶縁層１５０によって囲まれている。絶縁層１５０は、例えばポリイミドなどの感光性の材料を用いて形成されており、露光及び現像工程を経て、所定の形状に形成される。絶縁層１５０は、第１電極１１０が形成された後、かつ有機層１２０が形成される前に形成される。ただし、絶縁層１５０は形成されていなくてもよい。
【００３３】
なお、第２電極１３０の第２領域１３６の下方にも絶縁層１５０が形成されていてもよい。このようにすると、発光部１４０のうち第２領域１３６と重なる領域は発光しない。
【００３４】
有機層１２０は、絶縁層１５０で囲まれた領域の内側に形成されている。ここで、絶縁層１５０で囲まれた一つの領域を一つの発光素子と見なした場合、各発光素子の発光色は、互いに同一であってもよいし、少なくとも一つの発光素子の発光色は他と異なっていてもよい。このようにするためには、例えば有機層１２０の発光層の材料を変えればよい。
【００３５】
次に、発光装置１０の製造方法について説明する。まず、基板１００の上に第１電極１１０を形成する。このとき、例えばマスクを用いることにより、第１電極１１０を所定のパターンに形成する。また、第１端子１１２及び第２端子１３２も形成される。次いで、第１電極１１０の上に絶縁層１５０を形成する。次いで、有機層１２０及び第２電極１３０をこの順に形成する。第２電極１３０を形成するとき、例えばマスクを用いることにより、第１領域１３４及び第２領域１３６が形成される。
【００３６】
本実施形態において、発光装置１０のうち隣り合う第２電極１３０の間の領域は、透光領域１０２となる。ここで、第２電極１３０の一部は第２領域１３６であり、他の領域（第１領域１３４）と比較して幅が狭くなっている。従って、透光領域１０２の面積を広くして、発光装置１０の透光性を向上させることができる。
【００３７】
また、第１領域１３４及び第２領域１３６のレイアウトや大きさを適切に設定すると、発光部１４０を発光させたときに、発光部１４０内に、所望の形状（例えば文字、数字、図形、及び模様の少なくとも一つ）を表示することができる。
【００３８】
（変形例１）
図６は、変形例１に係る発光装置１０の第１電極１１０を示す平面図であり、実施形態の図３に対応している。本変形例に係る発光装置１０は、第１電極１１０の延在方向が１１３０の延在方向と交わっている点を除いて、実施形態に係る発光装置１０と同様の構成である。そして、発光部１４０の発光領域は、第１電極１１０と第２電極１３０の交点に形成される。なお、第１電極１１０の延在方向の変更に伴い、第１端子１１２の位置も変わっている。具体的には、第１端子１１２は、基板１００の４つの辺のうち、第２端子１３２と交わる方向に延在する辺に沿って配置されている。
【００３９】
本変形例において、第２端子１３２は基板１００の４つの辺のうち互いに対向する２辺に配置されていてもよい。また、第１端子１１２は、基板１００の残りの２辺に配置されていてもよい。
【００４０】
本変形例によっても、第２電極１３０の一部は第２領域１３６であり、他の領域（第１領域１３４）と比較して幅が狭くなっている。従って、透光領域１０２の面積を広くして、発光装置１０の透光性を向上させることができる。
【００４１】
なお、第１電極１１０は発光部１４０の全面に形成されていてもよいし、格子状であってもよい。
【００４２】
（変形例２）
図７は、変形例２に係る発光装置１０が有する第２電極１３０の形状を示す平面図である。本変形例に係る発光装置１０は、第２電極１３０の形状を除いて、実施形態に係る発光装置１０と同様の構成である。
【００４３】
本変形例において、第２電極１３０が並んでいる方向（図７におけるＹ方向）において隣り合う第１領域１３４は、少しずつ上下にずれている。そして、第２電極１３０が並ぶ方向において互いに隣り合う第１領域１３４の中心を直線で結ぶと、第２電極１３０に斜めに交わる直線になる。言い換えると、複数の第１領域１３４は、第２電極１３０に斜めに交わる直線に沿って配置されている。また、第２電極１３０が並ぶ方向における第２領域１３６の間隔ｗは、第２領域１３６の長さｌよりも小さい。
【００４４】
また、第１領域１３４は平行四辺形になっている。そして、第１領域１３４の４つの辺のうち２つは、第２電極１３０が延在している方向に平行になっている。また、第１領域１３４の残りの２辺は、上記した、第２電極１３０に斜めに交わる直線に平行になっている。
【００４５】
本変形例によれば、第２電極１３０が並ぶ方向における第１領域１３４の間隔ｔは、第２領域１３６の長さｌよりも小さい。このため、発光装置１０を見た人は、発光部１４０の発光領域（すなわち第１領域１３４が配置されている領域）が、第２電極１３０に斜めに交わる直線に沿って延在していると認識する。
【００４６】
一方、上記した直線に沿って第２電極１３０を配置した場合、基板の角の近くに位置している第２電極１３０は、他の第２電極１３０と比較して短くなってしまう。この場合、第２電極１３０の長さの差に起因して、発光部１４０の輝度に面内分布が生じる可能性がある。これに対して本実施形態では、すべての第２電極１３０の長さをほぼ等しくすることができる。従って、発光部１４０の輝度に、面内分布は生じにくい。
【００４７】
なお、本図に示す例において、透光領域１０２は、上記した、第２電極１３０に斜めに交わる直線に平行に延在していると見なすことができる。この場合、透光領域１０２の幅ｗは、第２領域１３６の長さｌ、又は、第２電極１３０が延在する方向における第１領域１３４の間隔ｌ´として定義することができる。
【００４８】
（変形例３）
図８は、変形例３に係る発光装置１０の構成を示す平面図であり、変形例２の図７に対応している。本変形例に係る発光装置１０は、第２電極１３０の形状を除いて、実施形態に係る発光装置１０と同様の構成である。
【００４９】
本変形例において、第２電極１３０が延在する方向（図８におけるＸ方向）において、ある第２電極１３０（第１の第２電極１３０）の第１領域１３４の８０％以上（好ましくは９５％以上）の領域は、その隣の第２電極１３０（第２の第２電極１３０）のいずれかの第１領域１３４と重なっている。図８に示す例において、複数の第２電極１３０の各々において、その第２電極１３０が有する複数の第１領域１３４の各々は、第２電極１３０が並んでいる方向（図８におけるＹ方向）において当該第１領域１３４の隣に位置する第１領域１３４と重なっている。第１領域１３４のうち隣の第１領域１３４と重なっている領域は、第２電極１３０が延在する方向におけるその第１領域１３４の中心を含んでいる。このようにすると、発光部１４０において、複数の第１領域１３４は正方格子の格子点に配置されることになる。なお、第２電極１３０が並んでいる方向（図８におけるＹ方向）において、互いに隣り合う第１領域１３４の中心を直線で結んだ場合、この線が第２電極１３０と直交するようにしてもよい。
【００５０】
なお、本図に示す例において、透光領域１０２の幅は、第２領域１３６の長さｌとして定義することができる。
【００５１】
なお、本変形例において、第２領域１３６の幅がある程度広い場合、発光部１４０のうち第２領域１３６が設けられている部分も十分発光するため、発光装置１０を見た人は、発光部１４０の発光領域が実質的に格子状になっていると認識する。
【００５２】
また、第２電極１３０が並んでいる方向（図８におけるＹ方向）において、互いに隣り合う第１領域１３４の中心を直線で結んだ場合にこの線が第２電極１３０と直交するようにして、第２領域１３６の第２電極１３０が並んでいる方向（図８におけるＹ方向）の幅を第１領域１３４の第２電極１３０が並んでいる方向（図８におけるＹ方向）の幅よりも十分に小さくしてもよい。このようにすると、発光装置１０を見た人が発光部１４０の発光領域が実質的に第２電極１３０が並んでいる方向のストライプ（縞）状に形成されていると認識させることができる。換言すれば、第２電極１３０が物理的に延在する方向に対して直交する方向に発光部１４０の発光領域が形成されていると認識させることができる。
【００５３】
この構成は、基板１００が長方形である場合に特に効果を奏する。つまり、基板１００が長方形の場合、第２電極１３０は基板１００の長辺に並行するように形成される場合や、基板１００の短辺に並行するように形成される場合が考えられる（ほかにも基板１００の対角線に沿うような場合、曲線も含んだ場合なども考えられるがこれらは基板１００の長辺に沿った場合と読み替えることができる）。
【００５４】
一つの第２電極１３０に対して第２端子１３２が一つのみ設けられる場合、第２電極１３０の抵抗により電流密度に起因して、第２端子１３２が形成されていない側の第２電極１３０の端部と重なる領域における発光部１４０の発光強度は差が生じる。具体的には、第２端子１３２が形成される側の第２電極１３０の端部と比較して発光の輝度が低い。同様に、一つの第２電極１３０に対して第２端子１３２が第２電極１３０の両端に形成される場合、第２電極１３０の中心近傍と重なる領域における発光部１４０の発光の輝度は、発光部１４０の他の部分の発光と比較して低下する。つまり、第２電極１３０において、第２端子１３２から遠くなればなるほど、輝度の低下が起こる。この場合、第２電極１３０が基板１００の短辺と並行な方向に形成される場合よりも、基板１００の長辺と並行な方向に形成される場合の方が、輝度差は顕著になる。一方、発光部１４０を見る人が受ける印象を基準にすると、発光部１４０の延在方向を基板１００の長辺に沿う方向にしたほうがよい。本変形例によれば、これら２つの要求を両立することができる。すなわち、第２電極１３０が輝度差を防ぐように短辺に沿って並行するように形成しつつ、発光部１４０が長辺に沿って延在しているように人に認識させることができる。
【００５５】
（変形例４）
図９は、変形例４に係る発光装置１０の構成を示す平面図であり、変形例２の図７に対応している。本変形例に係る発光装置１０は、第２電極１３０の形状を除いて、実施形態に係る発光装置１０と同様の構成である。
【００５６】
本変形例において、基板１００の一部である第１領域１０４には、変形例３と同様の第２電極１３０が配置されている。一方、基板１００の他の一部である第２領域１０６（例えば残りの領域）には、変形例２と同様の第２電極１３０が配置されている。このように、第２電極１３０の形状は任意である。なお、発光装置１０は、さらに他のパターンの第２電極１３０を有していてもよい。
【００５７】
（変形例５）
図１０は、変形例５に係る発光装置１０の構成を示す平面図であり、変形例２の図７に対応している。本変形例に係る発光装置１０は、第２電極１３０の形状を除いて、変形例４に係る発光装置１０と同様の構成である。
【００５８】
本変形例において、発光装置１０は、第１領域１０４及び第２領域１０６の他に、第３領域１０８をそれぞれ複数有している。複数の第１領域１０４、複数の第２領域１０６、及び複数の第３領域１０８は、いずれも基板１００の中心を基準に点対称に配置されている。詳細には、第１領域１０４は基板１００の中心に対して上下（Ｘ方向）に配置されており、第３領域１０８は基板１００の中心に対して左右（Ｙ方向）に配置されている。そして第２領域１０６は、基板１００の残りの領域（具体的には基板１００の角を含む４つの領域）に配置されている。
【００５９】
第１領域１０４及び第３領域１０８において、第２電極１３０はいずれも図８とほぼ同様の形状を有している。ただし、第１領域１０４の第１領域１３４の配置間隔は、上下に狭く、かつ左右に広くなっている。このようにすると、発光装置１０を見た人は、第１領域１０４における発光領域が、基板１００の中心を通りつつ上下に線状に延在していると認識する。一方、第３領域１０８の第１領域１３４の配置間隔は左右に狭く、かつ上下に広くなっている。このようにすると、発光装置１０を見た人は、第３領域１０８における発光領域が、基板１００の中心を通りつつ左右に線状に延在していると認識する。
【００６０】
また、第２領域１０６において、第２電極１３０は図７と同様の形状を有している。このため、発光装置１０を見た人は、第２領域１０６における発光領域が、基板１００の中心から放射状に延在していると認識する。
【００６１】
なお、第２電極１３０は左右に延在している。そして、第１領域１３４の位置によってその第１領域１３４の形状を変えることにより、図１０に示した構成を実現できる。
【００６２】
ここで、第２電極１３０の各々、言い換えると、第１領域１３４及び第２領域１３６を合わせた面積は、互いに等しいことが望ましい。そのようにすることで、第１領域１３４及び第２領域１３６を合わせた第２電極の各々の抵抗は、等しくなる。従って、発光部１４０の輝度に、面内分布は生じにくい。なお、ここで面積が等しいとは、相対的に大きい第２電極１３０を基準にして、相対的に小さい第２電極１３０の面積が９０％以上であることを差す。
【００６３】
（変形例６）
図１１は、変形例６に係る発光装置１０の構成を示す平面図であり、実施形態の図１に対応している。本変形例に係る発光装置１０は、第２電極１３０の延在方向を除いて、変形例３に係る発光装置１０と同様の構成である。
【００６４】
本変形例において、基板１００は長方形である。そして、第２電極１３０は、基板１００の短辺に沿って延在している。このようにすると、第２電極１３０が短くなるため、第２電極１３０の寄生抵抗を小さくすることができる。
【００６５】
なお、図１２に示すように、基板１００の長辺方向で見た場合、第１領域１３４が、波線に沿って配置されていてもよい。
【００６６】
（変形例７）
図１４は、変形例７に係る発光装置１０の構成を示す平面図であり、実施形態の図１の要部を拡大した図に相当する。本変形例に係る発光装置１０は、第２電極１３０が延在する方向（図１４におけるＸ方向）において、第２領域１３６が第１領域１３４の中心に必ずしも位置していない点を除いて、変形例３に係る発光装置１０と同様の構成である。
【００６７】
詳細には、第２電極１３０が延在する方向において、第２領域１３６は、第１領域１３４の中心に位置していなくてもよい。言い換えると、第２電極１３０が延在する方向において、一つの第２電極１３０に含まれる複数の第２領域１３６のうち、少なくとも一つの第２領域１３６は、他の第２領域１３６と異なる位置にある。例えば、全ての第２領域１３６は第１領域１３４の中心と重なっていなくてもよいし、一部の第２領域１３６のみが第１領域１３４の中心と重なっていなくてもよい。
【００６８】
例えば、一つの第２電極１３０において、第２領域１３６は、第２電極１３０の延在方向において第１領域１３４の中心に対してランダムに位置する場合もある。また、第２領域１３６が位置すべき位置を複数（例えば３つ以上、４つ以上、又は５つ以上）定義しておき、これら複数の位置からランダムまたは規則的に第２領域１３６の位置が選択されてもよい。この場合、あらかじめ定義された複数の第２領域１３６の位置において、隣り合う第２領域１３６の中心間距離は、例えば第１領域１３４の幅の２０％以上であるのが好ましい。例えば、第２領域１３６の位置は、第１領域１３４の両端及び第１領域１３４の中心から、ランダム又は規則的に選択されていてもよい。
【００６９】
発光装置１０において、後方散乱によって発光面の裏面（基板１００のうち発光部１４０が形成されている面と同じ面）から光が漏れる可能性がある。第２電極１３０は光遮光性を有しているため、発光装置１０の裏面から漏れる光の量及び射出方向は、第２電極１３０の位置に依存する。第２電極１３０が並んでいる方向において複数の第２領域１３６の位置が互いに揃っていると、特定の方向において後方散乱光が局所的に強くなる。これに対して本変形例では、一つの第２電極１３０に含まれる複数の第２領域１３６のうち、少なくとも一つの第２領域１３６は、他の第２領域１３６と異なる位置にある。従って、特定の方向において後方散乱光が局所的に強くなることを抑制できる。また、発光装置１０の発光面から発光装置１０を見たとき、第２領域１３６の位置が揃っておらず、第２電極１３０が線に見えづらくなる。従って、第２電極１３０を目立たなくすることができる。
【００７０】
なお、第２電極１３０が延在する方向において、第２領域１３６は、第１領域１３４の中心に位置していなくてもよい。言い換えると、第２電極１３０が並んでいる方向において、一つの第２電極１３０に含まれる複数の第２領域１３６のうち、少なくとも一つの第２領域１３６は、他の第２領域１３６と異なる位置にある。例えば、全ての第２領域１３６は第１領域１３４の中心と重なっていなくてもよいし、一部の第２領域１３６のみが第１領域１３４の中心と重なっていなくてもよい。
【００７１】
例えば、一つの第２電極１３０において、第２領域１３６は、第２電極１３０の延在方向において第１領域１３４の中心に対してランダムに位置する場合もある。また、第２領域１３６が位置すべき位置を複数（例えば３つ以上、４つ以上、又は５つ以上）定義しておき、これら複数の位置からランダムまたは規則的に第２領域１３６の位置が選択されてもよい。この場合、あらかじめ定義された複数の第２領域１３６の位置において、隣り合う第２領域１３６の中心間距離は、例えば第１領域１３４の幅の２０％以上であるのが好ましい。例えば、第２領域１３６の位置は、第１領域１３４の両端及び第１領域１３４の中心から、ランダム又は規則的に選択されていてもよい。
【００７２】
別の見方をすれば、第１の第２電極１３０の第１領域１３４の中心を基準としたときの第１の第２電極１３０の第２領域１３６の位置は、この第１の第２電極１３０の隣に位置する第２の第２電極１３０の第１領域１３４の中心を基準としたときの第２の第２電極１３０の第２領域１３６の位置とは異なる。
【００７３】
発光装置１０において、後方散乱によって発光面の裏面（基板１００のうち発光部１４０が形成されている面と同じ面）から光が漏れる可能性がある。第２電極１３０は光遮光性を有しているため、発光装置１０の裏面から漏れる光の量及び射出方向は、第２電極１３０の位置に依存する。第２電極１３０が並んでいる方向において複数の第２領域１３６の位置が互いに揃っていると、特定の方向において後方散乱光が局所的に強くなる。これに対して本変形例では、一つの第２電極１３０に含まれる複数の第２領域１３６のうち、少なくとも一つの第２領域１３６は、他の第２領域１３６と異なる位置にある。言い換えると、第２電極１３０が延在する方向（図１４におけるＸ方向）において、第２領域１３６の位置は揃っていない。従って、特定の方向において後方散乱光が局所的に強くなることを抑制できる。また、発光装置１０の発光面から発光装置１０を見たとき、第２領域１３６の位置が揃っておらず、第２電極１３０が線に見えづらくなる。従って、第２電極１３０を目立たなくすることができる。
【００７４】
なお、図１５の拡大図に示すように、第２電極１３０が延在する方向で見た場合、第１領域１３４が、波線に沿って配置されていてもよい。
【００７５】
（変形例８）
図１６は、変形例８に係る発光装置１０の構成を示す平面図であり、実施形態の図１の要部を拡大した図に相当する。本変形例に係る発光装置１０は、第２電極１３０が並んでいる方向（図１７におけるＹ方向）において、第２電極１３０の第２領域１３６の間隔が異なっている点を除いて、変形例７に係る発光装置１０と同様の構成である。
【００７６】
詳細には、発光部１４０は、第１の第２電極１３０ａと、第２の第２電極１３０ｂと、第３の第２電極１３０ｃを有している。第１の第２電極１３０ａ、第２の第２電極１３０ｂ、及び第３の第２電極１３０ｃは、この順に並んでいる。これらの第２電極１３０が並んでいる方向（図１６におけるＹ方向）において、第１の第２電極１３０ａの第２領域１３６と、第２の第２電極１３０ｂの第２領域１３６と、第３の第２電極１３０ｃの第２領域１３６は、少なくとも一部で互いに重なっている。そして、当該重なっている部分において、第１の第２電極１３０ａの第２領域１３６から第２の第２電極１３０ｂの第２領域１３６までの距離Ｗ１は、第２の第２電極１３０ｂの第２領域１３６から第３の第２電極１３０ｃの第２領域１３６までの間の距離Ｗ２と異なっている。
【００７７】
第３の第２電極１３０ｃの隣には、さらに、第４の第２電極１３０ｄが位置している。この場合、第３の第２電極１３０ｃの第２領域１３６から第４の第２電極１３０ｄの第２領域１３６までの間の距離Ｗ３は、距離Ｗ１、Ｗ２のいずれとも異なっていてもよいし、距離Ｗ１と同じであってもよい。
【００７８】
なお、第４の第２電極１３０ｄの形状は、第１の第２電極１３０ａと同じであってもよい。この場合、第３の第２電極１３０ｃの隣には、第１の第２電極１３０ａ、第２の第２電極１３０ｂ、及び第３の第２電極１３０ｃがこの順に繰り返し設けられていてもよい。なお、この繰り返しの単位は３つに限られず、さらに多くてもよい。
【００７９】
本変形例によれば、第２電極１３０が並んでいる方向（図１６におけるＹ方向）において、第２領域１３６の並びは不規則になる。このため、変形例７と同様の理由により、特定の方向において後方散乱光が局所的に強くなることを抑制できる。また、発光装置１０の発光面から発光装置１０を見たとき、第２領域１３６の位置が揃っておらず、第２電極１３０が線に見えづらくなる。従って、第２電極１３０を目立たなくすることができる。
【００８０】
（変形例９）
図１７は、変形例９に係る発光装置１０の構成を示す平面図であり、実施形態の図１の一部を拡大した図に相当する。本変形例に係る発光装置１０は、第２領域１３６が絶縁層１５０と重なる位置に形成されることを除いて、変形例３に係る発光装置１０と同様の構成である。
【００８１】
第２領域１３６が絶縁層１５０と重なっていない場合、発光部１４０のうち第２領域１３６と重なる領域も発光する。この場合、第２領域１３６と絶縁層１５０の間の領域から、基板１００に垂直な方向に発光面の裏面側に光が漏れる可能性が出てくる。これに対して本変形例では、第２領域１３６は絶縁層１５０と重なる位置に形成されているため、発光部１４０のうち第２領域１３６と重なる領域は発光しない。従って、上記した光の漏れを少なくできる。
【００８２】
（実施例）
図１３は、実施例に係る発光システムの構成を示す断面図である。この発光システムは、発光装置１０及び仕切部材２０を有している。仕切部材２０は透光性を有しており、人が滞在する空間を外部から仕切っている。発光装置１０は、上記した実施形態及び変形例のいずれかと同様の構成を有している。発光部１４０は基板１００のうち人が滞在する空間側の面（第２面１００ｂ）に配置されている。この状態において、透光性の第１電極１１０、有機層１２０、及び第２電極１３０は、外部側からこの順に重なっている。
【００８３】
仕切部材２０は、例えば人が移動するための移動体３０の窓であり、ガラス又は透光性の樹脂を用いて形成されている。移動体３０は、例えば自動車、列車、又は飛行機である。移動体３０が自動車の場合、仕切部材２０はフロントガラス、リアガラス、又は座席の横に取り付けられた窓ガラス（例えばドアガラス）である。仕切部材２０がリアガラスの場合、複数の発光部１４０は例えばブレーキランプとして機能する。また、仕切部材２０がフロントガラス又はリアガラスの場合、複数の発光部１４０はターンランプであってもよい。また、発光装置１０の発光部１４０の発光領域の一部をブレーキランプとして、別の部分をターンランプとしてもよい。または、会議室などの部屋の内部と外部を仕切る窓であってもよい。発光部１４０の点灯／非点灯により、会議室を利用しているか否かを識別できる発光システムでも良い。
【００８４】
そして、発光装置１０の光取出側の面（例えば基板１００のうち発光部１４０が形成されていない面）は、接着層２００を介して仕切部材２０の内面（第１面２２）に固定されている。このため、発光装置１０の発光部１４０から放射された光は、仕切部材２０を介して移動体３０の外部に放射される。一方、発光装置１０は光透過性を有している。このため、移動体３０の内側に位置する人は、仕切部材２０を介して移動体３０の外部を視認することができる。なお、基板１００の第１面１００ａの全面が接着層２００を介して仕切部材２０の第１面２２に固定されていてもよいし、第１面１００ａの一部（例えば互いに対向する２辺）が仕切部材２０の第１面２２に固定されていてもよい。
【００８５】
移動体３０に仕切部材２０を介して発光装置１０を設置した場合、発光装置１０の発光部１４０の発光が、後方散乱などによって発光面の裏面から漏れないようにすることが好ましい。移動体３０の運転手や同乗者にとって、発光装置１０からの発光が強すぎると気になることがあるからである。後方散乱の大きさは発光部１４０の第２電極１３０のラインの方向に依存するため、裏面側に照射させたくない方向がある場合、その方向を避けるように第２電極１３０の方向を決める必要がある。
【００８６】
例えば、移動体３０の内部では運転者や同乗者が目線を縦に振ることはほとんどなく、運転者や同乗者の目線の移動はもっぱら横移動が中心である。第２電極１３０が縦方向に延在していると、発光部１４０の長辺が、発光装置１０の正面からだけではなく角度を有する方向からも（すなわち運転手や同乗者からも）認識されやすくなる。本変形例では第２電極１３０に第１領域１３４と第２領域１３６を設けることで、第２電極１３０を不連続に形成することができ、その結果、発光装置１０の非発光面から見たときの第２電極１３０のラインを目立たなくさせることができる。また、後方散乱の影響を軽減させたりするために、第２電極１３０を直線以外の複雑なパターンにすることも考えられるが、上述のような発光装置１０の構造にすることによって、後方散乱の影響を軽減することが可能である。また、発光装置１０の見た目上の第２電極１３０の方向が異なっていても、複数の第２電極１３０は構造上の長さは同一であるため、発光部１４０毎の駆動条件を変える必要がない。
【００８７】
接着層２００は仕切部材２０と発光装置１０とを接着させるものである。このような機能を果たす材料であればとくに限定はされない。また、仕切部材２０の屈折率と発光装置１０の基板１００の屈折率とが、例えば両者ともにガラスで形成された場合などのように同じ場合は、両者と同じか近い屈折率を有する接着層２００を用いる。他方で仕切部材２０と基板１００とで屈折率とが異なる（例えば、仕切部材２０がプラスチックで形成され、基板１００がガラスで形成される）場合は、接着層２００の屈折率は仕切部材２０と基板１００の間の数値が好ましい。このようにすると、発光装置１０の発光を、仕切部材２０を介して外部へ効率よく光取り出しができるためである。また、発光装置１０と仕切部材２０とは隙間なく接着されるのが好ましい。隙間があると発光装置１０からの発光が仕切部材２０で反射され、その反射光が発光装置１０の透光領域１０２を介して内部に伝わるからである。
【００８８】
発光装置１０は、透光領域１０２を有している。このため、発光装置１０を仕切部材２０に取り付けても、移動体３０の内部にいる人は、発光装置１０及び仕切部材２０を介して移動体３０の外部を視認することができる。また、第２電極１３０が金属などの遮光性の材料を用いて形成されている場合、発光部１４０からの光は移動体３０の内部にいる人に届きにくくなる。このため、移動体３０の内部から外部への視認性は、発光部１４０からの光に起因して低下しない。
【００８９】
以上、図面を参照して実施形態及び実施例について述べたが、これらは本発明の例示であり、上記以外の様々な構成を採用することもできる。
【００９０】
この出願は、２０１６年１月２７日に出願された日本出願特願２０１６−０１３４３３号を基礎とする優先権を主張し、その開示の全てをここに取り込む。
【図１】
2017131143.tif 000003
【図２】
2017131143.tif 000004
【図３】
2017131143.tif 000005
【図４】
2017131143.tif 000006
【図５】
2017131143.tif 000007
【図６】
2017131143.tif 000008
【図７】
2017131143.tif 000009
【図８】
2017131143.tif 000010
【図９】
2017131143.tif 000011
【図１０】
2017131143.tif 000012
【図１１】
2017131143.tif 000013
【図１２】
2017131143.tif 000014
【図１３】
2017131143.tif 000015
【図１４】
2017131143.tif 000016
【図１５】
2017131143.tif 000017
【図１６】
2017131143.tif 000018
【図１７】
2017131143.tif 000019
【国際調査報告】
2017131143.tif 000020
2017131143.tif 000021
2017131143.tif 000022
2017131143.tif 000023